(57)【要約】【課題】  雨天時にクラブのグリップを収容でき、乾燥・洗濯が容易な水濡れ防止カバーを提供する。【解決手段】  タオル等の吸水性生地で形成される拭き布２２を防水性の第１の袋体１２の内部に収納し、かつ第１の袋体１２から引き出すことができるように構成する。また、第２の袋体２０の首部２３の端部２４にそれぞれ第１および第２のフックを固着する。第２の袋体２０が第１の袋体１２に収納された状態でクラブのグリップをその中に収納することによってグリップの水濡れを防止でき、また、プレー中にこの水濡れ防止カバーをキャディーバッグや傘にかけることにより持ち運びを容易にできる。また、第２の袋体２０を第１の袋体１２から引き出すことによって、濡れた拭き布２２を乾燥させることができる。また、水濡れ防止カバーを洗濯した後も、濡れた拭き布２２を容易に乾燥させることができる。【選択図】        図２
2008023083.tif 000002
【特許請求の範囲】
【請求項１】
一端に開口部が設けられ他端にフックを通すための孔が設けられた第１の袋体と、
一端の裾部が開口され他端に首部が設けられ、その裾部と首部の間に水分を吸収する拭き布を有するに第２の袋体と、
前記第２の袋体の首部の先端に互いに逆向きに固着される第１のフック手段および第２のフック手段とを有し、
前記第２の袋体の裾部の先端周縁部が前記第１の袋体の開口部の周縁部に固着され、
前記第２のフック手段を前記開口部から引き出すことにより前記第２の袋体を前記第１の袋体の外に引き出し、前記第１のフック手段を第１の袋体の孔から引き出すことにより前記第２の袋体を前記袋体の中に引き込むことを特徴とする水濡れ防止カバー。
【請求項２】
前記第１の袋体は防水性の生地により形成されることを特徴とする請求項１に記載の水濡れ防止カバー。
【請求項３】
前記第１の袋体の開口部には弾性体の帯が挿入されることを特徴とする請求項１に記載の水濡れ防止カバー。
【請求項４】
前記拭き布は高吸水性の生地により構成されることを特徴とする請求項１に記載の水濡れ防止カバー。
【発明の詳細な説明】
【技術分野】
【０００１】
本発明は、ゴルフクラブのグリップのような棒状物体を水に濡れないように収納する水濡れ防止カバーの構造に関するものである。特に、降雨時のゴルフ場において、キャディーバッグから抜き出したゴルフクラブを雨にぬれた芝や地面の上に置く時にクラブのグリップの水濡れの防止に好適な水濡れ防止カバーに関する。
【背景技術】
【０００２】
ゴルフのプレーでは、使用クラブを選択する場合に、２−３本のクラブをキャディーバッグから抜き出してボールの落下地点に行き、選択したクラブでボールを打ち、それ以外のクラブは近くの地面や芝に置いておくことがよくある。このような場合に、雨の日のプレーの場合、地面や芝が雨に濡れているため、地面に置いたクラブのグリップが濡れてしまい、そのクラブが以降のプレーで使用し難くなるという問題があった。特に、グリップが濡れると滑り易くなって危険であり、グリップの水濡れを防止する必要があった。
【０００３】
図８は、ゴルフのグリップの水濡れを防止するための水濡れ防止カバーの従来例を説明する図である（特許文献１）。従来の水濡れ防止カバーは、ビニール等の防水性材料で形成された筒状袋体５１の内面に木綿製織布等の吸水性材料で形成された内壁部５３で構成され、先端部に漏斗状５４を形成してグリップを挿入し易くするとともに、マジックテープ５５(登録商標)を設け、グリップを筒状袋体５１に収納してからマジックテープ５５(登録商標)でグリップの部分を締め付ける構造としたものである。
【特許文献１】実全昭５８−１０１６７０号公報
【発明の開示】
【発明が解決しようとする課題】
【０００４】
上記従来例の水濡れ防止カバーは、1本のクラブ毎に使用するように構成されているため、クラブのグリップに常時装着する場合を除いて持ち運びに不便であるという欠点があった。クラブのグリップに常時装着する場合には、使用するクラブに応じてカバーをいちいち取り外す必要があって不便であった。それを防ぐためには、全てのクラブに装着する必要があり、多数のカバーが必要になって経済的ではないという欠点があった。また、ビニール製の外壁部にタオル生地で内壁部を形成する構造のため、タオル生地を外部に露出させることができず、濡れたタオル生地を速やかに乾燥させることができないという欠点もあった。また内壁部が汚れ易く洗濯も困難であるという欠点もあった。本発明は、持ち運びが便利でかつ使用し易く、タオル生地を簡単に乾燥させることができ、洗濯も容易な水濡れ防止カバーを提供することを目的とする。
【課題を解決するための手段】
【０００５】
本発明の水濡れ防止カバーは、タオル等の吸水性生地で形成される拭き布を防水性生地で形成される袋体の内部に収納するとともに、必要に応じて拭き布を袋体から引き出すことができるように構成したことを特徴とする。これにより、拭き布を第１の袋体に収納した状態で、その拭き布の中にクラブのグリップを収納することによって、グリップの水濡れを防止する。一方、湿った拭き布を第１の袋体から引き出すことによって、外部の空気に露出させ拭き布を乾燥し易くすることができ、また、洗濯により拭き布の汚れを簡単に取り除くこともできる。また拭き布で構成される袋の表と裏にそれぞれフックを設けたことを第２の特徴とする。これにより、プレー中にこのカバーをキャディーバッグや傘にかけることで持ち運びを容易にすることができる。具体的には、以下のとおりである。
【０００６】
本発明の請求項１に記載の発明は、一端に開口部が設けられ他端にフックを通すための孔が設けられた第１の袋体と、一端の裾部が開口され他端に首部が設けられ、その裾部と首部の間に水分を吸収する拭き布を有するに第２の袋体と、前記第２の袋体の首部の先端に互いに逆向きに固着される第１のフック手段および第２のフック手段とを有し、前記第２の袋体の裾部の先端周縁部が前記第１の袋体の開口部の周縁部に固着され、前記第２のフック手段を前記開口部から引き出すことにより前記第２の袋体を前記第１の袋体の外に引き出し、前記第１のフック手段を第１の袋体の孔から引き出すことにより前記第２の袋体を前記袋体の中に引き込むことを特徴とする。
【０００７】
本発明の請求項２に記載の発明において、第１の袋体は防水性の生地により形成されることを特徴とする。
【０００８】
本発明の請求項３に記載の発明において、第１の袋体の開口部には弾性体の帯が挿入されることを特徴とする。
【０００９】
本発明の請求項４に記載の発明において、拭き布は高吸水性の生地により構成されることを特徴とする。
【発明の効果】
【００１０】
以上記載したように、本発明の請求項１に記載の発明の水濡れ防止カバーによれば、一端に開口部が設けられ他端にフックを通すための孔が設けられた第１の袋体と、一端の裾部が開口され他端に首部が設けられ、その裾部と首部の間に水分を吸収する拭き布を有するに第２の袋体と、第２の袋体の首部の先端に互いに逆向きに固着される第１のフック手段および第２のフック手段とを有し、第２の袋体の裾部の先端周縁部が第１の袋体の開口部の周縁部に固着され、第２のフック手段を開口部から引き出すことにより第２の袋体を第１の袋体の外に引き出し、第１のフック手段を第１の袋体の孔から引き出すことにより第２の袋体を前記袋体の中に引き込むようにしたので、キャディーバッグや傘に簡単にかけることができて持ち運びに便利であり、また、拭き布を袋体から引き出して、拭き布を乾燥させ、また拭き布の洗濯を容易にできる。
【００１１】
本発明の請求項２に記載の発明の水濡れ防止カバーによれば、第１の袋体は防水性の生地により形成されるので、雨の中で使用しても第１の袋体の中に水滴が侵入しないので、グリップの水濡れを防止できる。
【００１２】
本発明の請求項３に記載の発明の水濡れ防止カバーによれば、第１の袋体の開口部には弾性体の帯が挿入されるので、第１の袋体の開口部が弾性力によって閉まるので、グリップが抜けにくくなり、また、第１の袋体の開口から水滴が入り込むのを防止できる。
【００１３】
本発明の請求項４に記載の発明の水濡れ防止カバーは、拭き布が高吸水性の生地により構成されるので、カバーの内部に水滴が侵入した場合でも速やかに水滴を吸収することによりグリップの水濡れを防止することができる。
【発明を実施するための最良の形態】
【００１４】
図１は本発明の水濡れ防止カバー１の第２の袋体が第１の袋体に収納された状態を示す図である。つまり、第１の袋体の中に収納させた拭き布の中にゴルフクラブのグリップ等を収納可能な状態を示す図である。１０は第１の袋体１２の開口部であり、この開口部１０から第１の袋体１２の中にクラブのグリップを挿入する。１２は防水性の生地でできた第１の袋体である。防水性の生地として、例えば耐久性のある撥水加工を施した生地やビニール等を用いることができるが、もちろんこれには限定されず、いろいろな材料の生地を用いることができる。１１は第１の袋体１２の開口部１０の近くで第１の袋体１２の内部に形成されるステンレスやプラスチックのような弾性帯である。したがって、弾性帯１１は第１の袋体１２の表面からは見えないようになっている。弾性帯１１を設けることによって、第１の袋体の開口部が弾性力によって閉じるので、グリップが抜けにくくなり、また、第１の袋体の開口から水滴が入り込むのを防止できる。なお弾性帯１１を第１の袋体１２の開口部１０に設けない構造とすることもできる。弾性帯１１を設けない場合には、第１の袋体１２の開口部１０は弾性的に閉じることはないが、開口部１０を上から押さえることによって開口部１０を閉じることができる。
【００１５】
図１において、１３は第１の袋体１２の開口部１０と反対側の首部１７に形成された孔であり、この孔１３を介して１４，１５，１６から構成される第１のフック部が第１の袋体１２から引き出される。１４、１５、１６は、２２，２３，２８から構成される第２の袋体の首部２３の端部２４に固着される第１のフック部（請求項１に記載される第１のフック手段に相当する部分）であり、１４はベルト、１６はフック、１５はベルト１４とフック１６を連結する連結部である。この第１のフック部はベルト１４の端が第２の袋体２０の首部２３の端部２４に縫い付けるようにして固着される。ベルト１４は防水加工されたロープ紐などを用いることができる。２２は拭き布であり、タオル生地等の吸水性の生地で構成される。図１では、拭き布２２は第１の袋体１２の内部に収納されているので点線で示されている。
【００１６】
２３は第２の袋体の首部であり、拭き布２２に結合され防水性生地で構成される。２４は第１および第２のフック部を固着する第２の袋体の首部２３の端部である。２５、２６、２７は第２のフック部（特許請求の範囲に記載された第２のフック手段に相当する部分）を構成し、２５はベルト、２７はフック、２６はベルト２５とフック２７を連結する連結部であり、ベルト２５の端は第２の袋体２０の首部２３の端部２４に固着される。これらの構造は第１のフック手段と同様である。２８は第２の袋体の裾部であり、その一端は拭き布２２に固着され、他端は第１の袋体１２の開口部に固着される。図１に示されるように、本発明の水濡れ防止カバーにおいては、クラブをグリップから第１の袋体１２の開口部１０に挿し込むことにより、防水性の第１の袋体１２を利用してグリップの水濡れを防止するとともに吸水性の拭き布２２によりグリップに付いた水滴を吸収する。また第１の袋体１２の開口部１０付近に設けられる弾性帯１１でクラブのシャフトを締め付けることにより、クラブの抜け落ちと第１の袋体１２の内部に水が浸入することを防止する。
【００１７】
図２は、第２のフック部のフック２７を第１のフック部と反対方向に引っ張ることによって、第１の袋体１２の内部に収納されていた第２の袋体２０を第１の袋体１２から引き出した状態を示す図である。フック２７は連結部２６、ベルト２５および首部２３を介して拭き布の端部２４に固着されているので、フック２７を図１の矢印Ｒ方向に引っ張ることによって、拭き布２２の部分を第１の袋体１２から引き出すことができる。これによって、水に濡れたグリップで濡れた拭き布２２を乾燥させたり、カバーの洗濯後に拭き布を乾燥させることができる。
【００１８】
拭き布２２はその裾部２８の先端２９が第１の袋体１２の開口部１０に固着されるので、フック２７を思い切り引っ張っても拭き布が第１の袋体１２から抜けてしまうことはない。フック２７が第１の袋体１２から引っ張り出された状態では、フック１６は袋状に形成された拭き布２２の内部に収納されて外部からは見えないので、図面では点線で示した。後述するように、このカバーの拭き布を乾燥させる場合には、フック２７を第１の袋体１２から引っ張り出した状態で、フック２７を例えばキャディーバッグ等に引っ掛けることにより乾燥させることができる。なお、図１に示した使用状態に戻すには、第１のフック部のフック１６を、第２のフック部とは反対方向、すなわち図２の矢印Ｓ方向に引っ張って、第１の袋体１２の首部１７に設けた孔１３からフック１６を引き出せば、拭き布２２の部分が第１の袋体１２の内部に収納され、開口部１０からクラブのグリップが挿入できる状態になる。
【００１９】
以上に述べたように、本発明の水濡れ防止カバーは、その裾部２８の先端２９が第１の袋体１２の開口部１０に固着され、第２の袋体２０の首部２３の端部２４に第１および第２のフック部が固着されるので、第１のフック部を引っ張ることによって、第２の袋体２０が第１の袋体１２の内部に収納される状態（図１の状態）になり、第２のフック部を引っ張ることによって、第２の袋体２０が第１の袋体１２から引き出された状態（図２の状態）になる。したがって、図１の状態のときに、雨の時のプレー時にはグリップが濡れるのを防ぐことができ、プレーが終わったときには、図２の状態で、濡れた拭き布２２を効率的に乾燥させることができる。
【００２０】
図３は、第１の袋体の開口部１近くに設けられた弾性帯の部分を拡大して示したものである。図３（Ａ）は、第１の袋体１２の内部の開口部１０付近に形成された弾性帯１１ａ、１１ｂの弾性によって開口部１０が閉じている状態を示す図である。図３（Ｂ）は弾性帯１１に側面方向（図のＸとＹの方向）から力を加えて開口部１０を広げたときの状態を示す図であり、この開口１０からクラブのグリップが挿入される。図３（Ｃ）は、開口部１０から第１の袋体１２の内側方向を模式的に示した図である。図に示すように拭き布２２の先に首部２３が見え、首部２３の先に孔１３が見える。
【００２１】
図４は、第２の袋体の構成を示したものである。符号の意義は既に説明したが、再度説明すると、第２の袋体２０は、本発明の特徴的な部分の１つであるタオル生地等で構成される拭き布２２、拭き布２２に隣接して設けられる首部２３、その周縁部が第１の袋体１２の開口部１０の周縁部と固着され防水性の生地で構成される裾部２８から構成される。なお、２４は首部２３の先端部分に設けられ、第１および第２のフック部を固着させる部分である。首部２３、裾部２８は、撥水加工生地のような防水性の生地を用いることが好適であるが、これには限定されず、全ての防水性の生地を用いることができる。また、拭き布２２の部分もタオル地に限らず、吸水性のある生地であれば生地の種類は問わない。
【００２２】
図５は、第２の袋体２０の部分を、図４に示すＡ−Ａ線に沿って切断した断面図である。図５において、第２の袋体２０の首部２３の端部２４には、フック部１６、ベルト１４、連結部１５により構成される第１のフック部と、フック部２７、ベルト２５、連結部２６により構成される第２のフック部が固着されている。このように第１のフック部と第２のフック部が同じ端部２４に固着されているために、第１のフック部を引っ張ったときに第２の袋体２０が第１の袋体１２の内部に収納される状態になり、第２のフック部を引っ張ったとき第２の袋体２０が第１の袋体１２から引き出された状態になるという本発明の特徴を実現することができる。
【００２３】
図６は本発明の水濡れ防止カバーの好適な１つの使用例を示した図である。４０は雨に濡れた芝や地面である。プレーヤーがキャディーバッグから抜き出した複数のクラブのうち、使用するクラブ以外のクラブを水濡れ防止カバーに挿入した状態で雨に濡れた芝４０の上に置いた状態を示す図である。本発明の水濡れ防止カバーは比較的大きい開口を有する袋状の構造であるため、複数のクラブをまとめて収納することができる。第１の袋体１２は防水性の生地で形成されるため、芝や地面の水滴がカバー内部に染み込むことはなく、仮に開口部１０の部分から水滴が侵入しても、グリップに接触する拭き布２２にタオル生地等の吸水性生地を用いているため、しみ込んだ水滴は速やかに拭き布２２に吸収され、グリップを濡らすことはない。また、第１の袋体１２の開口部１０の周縁部を弾性帯１１で形成すれば、第１の袋体１２の開口部１０が弾性帯１１で締め付けられるので、水滴の侵入を低減させることにより水濡れ防止効果を一層向上させることができる。
【００２４】
図７は本発明の水濡れ防止カバーの持ち運び方法の一例を示すもので、例えばキャディーバッグに本発明の水濡れ防止カバー１を引っ掛けて運ぶ例である。キャディーバッグには数個のリング３１がついている場合が多いが、そのリング３１にフック部を取り付けることによってキャディーバッグにぶら下げることができる。図７（Ａ）は、拭き布２２が乾いている場合に、第２の袋体２０を第１の袋体１２に収納させた状態で持ち運びする例（使用状態）であり、この場合、必要な時にすぐに本発明の水濡れ防止カバーを使用することができる。図７（Ｂ）は拭き布２２が少し濡れた場合の例（乾燥状態）であり、第２の袋体２０を第１の袋体１２の外に引き出して拭き布２２を外部に露出させた状態にして持ち運びする例である。このように、本発明の水濡れ防止カバーは、フック部を引っ張るだけで簡単に使用状態と乾燥状態を切り替えることができるので、プレー中でも拭き布２２を乾燥させることができ非常に便利である。また、長く使用して水濡れ防止カバーが汚れた場合には洗濯することが可能であるが、洗濯後は拭き布２２を露出させる乾燥状態にして物干し竿などに吊り下げることで拭き布２２を容易に乾燥させることもできる。
【図面の簡単な説明】
【００２５】
【図１】本発明の水濡れ防止カバーの第２の袋体が第１の袋体に収納された状態を示す図である。
【図２】本発明の水濡れ防止カバーの第２の袋体を第１の袋体から引き出した状態を示す図である。
【図３】本発明の水濡れ防止カバーの開口部および弾性帯を説明する図である。
【図４】本発明の水濡れ防止カバーの第２の袋体を示す図である。
【図５】本発明の水濡れ防止カバーの第２の袋体の断面図である。
【図６】本発明の水濡れ防止カバーの使用例を示す図である。
【図７】本発明の水濡れ防止カバーの運搬方法の一例を示す図である。
【図８】水濡れ防止カバーの従来例を示す図である。
【符号の説明】
【００２６】
１  水濡れ防止カバー
１０  開口部
１１、１１ａ，１１ｂ  弾性帯
１２  第１の袋体
１３  第１の袋体の首部に設けられたフックを通すための孔
１４  第１のフック部を構成するベルト
１５  第１のフック部を構成する連結部
１６  第１のフック部を構成するフック
１７  第１の袋体の首部
２０  第２の袋体
２２  拭き布
２３  第２の袋体に設けられる首部
２４  第２の袋体に設けられる首部の端部
２５  第２のフック部を構成するベルト
２６  第２のフック部を構成する連結部
２７  第２のフック部を構成するフック
２８  第２の袋体の裾部
２９  裾部の先端
３１  
【図１】
2008023083.tif 000003
【図２】
2008023083.tif 000004
【図３】
2008023083.tif 000005
【図４】
2008023083.tif 000006
【図５】
2008023083.tif 000007
【図６】
2008023083.tif 000008
【図７】
2008023083.tif 000009
【図８】
2008023083.tif 000010